(57)【要約】【課題】  電流調光の状態に影響されないバースト調光を実現できる発光制御回路を提供する。【解決手段】  可変出力電圧型の電圧源ＶＡを設け、その出力電圧（電圧信号ＶA ）を帰還信号ＳFB又は第１基準電圧ＶREF1よりも略一定の値だけ大きな値となるように設定する。そして、この電圧源ＶＡで生成される電圧信号ＶA をスイッチング素子ＳＷを介して誤差増幅器ＥＡの非反転入力端子（−）に供給するように構成する。これにより、電流調光用の調光信号の大小に拘わらず、制御信号がローレベルからハイレベルになるタイミングの遅れをほぼ一定、かつ小さくする。【選択図】  図１
2010027362.tif 000002
【特許請求の範囲】
【請求項１】
発光素子に対して電源を供給する出力装置に接続され、該出力装置から該発光素子への電源供給を断続的にするための第１制御信号と該発光素子に供給される電流あるいは電圧の大きさに応じた帰還信号とを受信し、該第１制御信号と該帰還信号に応じた制御信号を出力装置に供給することにより該発光素子を所望の明るさで安定して点灯させる発光制御回路において、
該出力装置から該発光素子への電源供給期間の時比率を決定するパルス幅を有した前記第１制御信号と、
一方の入力端子に第１の基準電圧源から第１基準電圧信号の供給を受け、他方の入力端子に該帰還信号の供給を受けて該制御信号を発生させる誤差増幅器と、
該出力装置から該発光素子への電源供給を停止させるような該制御信号の発生を可能とする大きさの電圧信号を出力する電圧源と、
該第１制御信号に応じてオンオフし、該誤差増幅器の他方の入力端子に対して断続的に該電圧信号を供給するスイッチング素子と、
を具備し、
ここで該電圧信号が、該出力装置から該発光素子に電源が供給されている期間に生じた該帰還信号よりもほぼ所定の値だけ大きな値に調整される
ことを特徴とする発光制御回路。
【請求項２】
前記電圧源が、前記スイッチング素子がオフ状態にある期間に前記帰還信号をサンプリングするサンプルアンドホールド回路と、一定の大きさの第２基準電圧信号を発生する第２の基準電圧源とを有し、
前記電圧信号が、該サンプルアンドホールド回路の出力信号と該第２の基準電圧信号を合成して得られ、該制御信号に該第２基準電圧信号を加えた大きさを持つ
ことを特徴とする、請求項１に記載した発光制御回路。
【請求項３】
発光素子に対して電源を供給する出力装置に接続され、該出力装置から該発光素子への電源供給を断続的にするための第１制御信号と該発光素子に供給される電流あるいは電圧の大きさに応じた帰還信号とを受信し、該第１制御信号と該帰還信号に応じた制御信号を出力装置に供給することにより該発光素子を所望の明るさで安定して点灯させる発光制御回路において、
該出力装置から該発光素子への電源供給期間の時比率を決定するパルス幅を有した前記第１制御信号と、
一方の入力端子に第１の基準電圧源から第１基準電圧信号の供給を受け、他方の入力端子に該帰還信号の供給を受けて該制御信号を発生させる誤差増幅器と、
該基準電圧信号よりも所定の値だけ大きく、尚且つ該出力装置から該発光素子への電源供給を停止させるような該制御信号の発生を可能とする大きさの電圧信号を出力する電圧源と、
該第１制御信号に応じてオンオフし、該誤差増幅器の他方の入力端子に対して断続的に該電圧信号を供給するスイッチング素子と、
を具備する
ことを特徴とする発光制御回路。
【請求項４】
前記電圧源が、前記第１基準電圧信号を受信するバッファアンプと、一定の大きさの第２基準電圧信号を発生する第２の基準電圧源とを有し、
前記電圧信号が、該バッファアンプの出力信号と該第２の基準電圧信号を合成して得られ、該第１基準電圧信号に該第２基準電圧信号を加えた大きさを持つ
ことを特徴とする、請求項３に記載した発光制御回路。
【請求項５】
前記発光制御回路が、前記出力装置から前記発光素子への電源供給量を調整するための第２制御信号を更に受信し、
前記第１基準電圧信号が該第２制御信号に応じて変化する
ことを特徴とする、請求項１から請求項４のいずれかに記載した発光制御回路。
【発明の詳細な説明】
【技術分野】
【０００１】
本発明は、バースト調光方式と電流調光方式を併用して発光素子の明るさを制御する発光制御回路に関するものであり、更に詳しくは、電流調光の状態に影響されないバースト調光を実現する技術に関するものである。
【背景技術】
【０００２】
蛍光管や発光ダイオードのような発光素子の調光は、そこに供給される電流又は電圧（以下、便宜上電流だけ扱う）を変化させることで行われる。この供給電流を変化させて発光素子の調光を行う方法に、バースト調光方式と電流調光方式がある。バースト調光方式とは、発光素子への電流の供給を断続的に行うようにすると共に、電流の供給期間と停止期間の時比率を変化させ、供給電流の平均値を変化させるものである。一方、電流調光方式とは、発光素子への供給電流の絶対値を直接的に変化させるものである。従来のバックライト装置の多くは、この２つの調光方式のうちの一方を使って発光素子の調光をしていたが、最近、特許文献１でも提案されているように、この２つの調光方式を併用して調光するものが数多く出現している。
【０００３】
図５は、バースト調光と電流調光の２つの調光方式でもって操作されるバックライトと、そのバックライトに組み込んで使用される従来の発光制御回路の構成を示している。
図５において、１は蛍光管や発光ダイオードなどからなる発光素子であり、２は発光素子１に電源を供給するための出力装置であり、３は発光素子１の調光と安定した点灯を実現するために出力装置２に接続された調光制御回路である。ここで調光制御回路３は、誤差増幅器ＥＡ、第１の基準電圧源ＶＲ１、スイッチング素子ＳＷ、第２の基準電圧源ＶＲ２、および検出部ＤＰを次のように相互に接続して構成されている。
【０００４】
すなわち、誤差増幅器ＥＡの非反転入力端子（＋側）は第１の基準電圧源ＶＲ１の高電位側端子に接続され、誤差増幅器ＥＡの反転入力端子（−側）はスイッチング素子ＳＷを介して第２の基準電圧源ＶＲ２の高電位側端子に接続されている。各基準電圧源ＶＲ１、ＶＲ２のそれぞれの低電位側端子は、共に調光制御回路３の基準電圧ポイントであるグランドに接続されている。そして、誤差増幅器ＥＡの反転入力端子は検出部ＤＰに接続された構成となっている。
【０００５】
ここで、スイッチング素子ＳＷは、バースト調光のための調光信号Ｓｂの供給を受けるように、その制御端子を第１の信号入力端子ＣＴ１に接続している。また、第１の基準電圧源ＶＲ１は、電流調光のための調光信号Ｓｃの供給を受けるように、その内部の所定の回路接点を第２の信号入力端子ＣＴ２に接続している。そして検出部ＤＰは、更に発光素子１に供給される電流又は電圧を検出し、その信号レベルを処理可能な大きさにするために、その内部の所定の回路接点を発光素子１と出力装置２の少なくとも一方に接続している。
【０００６】
なお、発光素子１が冷陰極管のような蛍光管の場合、出力装置２は一例として図６（ａ）のように構成される。図６（ａ）の出力装置２ａは、２つのトランジスタ、共振コンデンサ、トランスおよび導通角制御回路を備えたプッシュプルインバータより構成されている。一方、発光素子１が発光ダイオードの場合、出力装置２は一例として図６（ｂ）のように構成される。図６（ｂ）の出力装置２ｂは、スイッチングトランジスタ、チョークコイル、整流ダイオード、平滑コンデンサおよびスイッチング制御回路を備えた昇圧コンバータより構成されている。また、発光素子１の種類に拘らず、出力装置２はシリーズレギュレータのようなもので構成されることも有る。
【０００７】
以上のような構成の図５のバックライトは、以下のような発光制御回路３の動作によって発光素子１の調光と安定した点灯を実現する。
出力装置２から発光素子１に電流が供給されていると、調光制御回路３内の検出部ＤＰは発光素子１に供給される電流又は電圧を検出し、帰還信号ＳFBを生成する。ここで、スイッチング素子ＳＷがオフ状態にあると、誤差増幅器ＥＡの反転入力端子には帰還信号ＳFBが供給される。この時、時誤差増幅器ＥＡは、その非反転入力端子に供給された第１基準電圧ＶREF1と反転入力端子に供給された帰還信号ＳFBに応じて制御信号ＳCON を生成し、出力装置２に供給する。
【０００８】
検出部ＤＰ、誤差増幅器ＥＡおよび第１の基準電圧源ＶＲ１の部分に注目すると、この回路部分は、フィードバック制御を行う一般的な制御回路内に良く見られる、信号処理を行うための回路と同じ構成となっている。このため出力装置２は、誤差増幅器ＥＡから供給される制御信号ＳCON に応じて動作し、その結果として発光素子１に供給する電流を第１基準電圧ＶREF1によって決まる所定の値に安定化する。供給される電流が所定の値に安定化されることにより、発光素子１は安定した点灯状態となる。
【０００９】
ここで、ハイレベル状態とローレベル状態が周期的に現れるパルス状の調光信号Ｓｂが第１の信号入力端子ＣＴ１に供給されると、スイッチング素子ＳＷは調光信号Ｓｂに応じてオンオフする。上でも述べたように、スイッチング素子ＳＷがオフ状態の時、誤差増幅器ＥＡの反転入力端子には検出部ＤＰからの帰還信号ＳFBが供給される。一方、スイッチング素子ＳＷがオン状態の時、誤差増幅器ＥＡの反転入力端子には、帰還信号ＳFBと第２基準電圧ＶREF2のいずれか一方、相対的に大きな値を持つ方が供給される。
【００１０】
例えば、第２の基準電圧源ＶＲ２に生じる第２基準電圧ＶREF2が第１基準電圧ＶREF1よりも大幅に大きな値に設定されているとする。通常、スイッチング素子ＳＷがオフ状態で、発光制御回路３および出力装置２の各部が正常にフィードバック制御に基づく動作をしている場合、帰還信号ＳFBは第１基準電圧ＶREF1とほぼ同じ値となる。このため、反転入力端子に第１基準電圧ＶREF1より大幅に大きな第２基準電圧ＶREF2が供給されている状態とは、出力装置１から発光素子２に過大な電流が流れている時と等価的に同じになる。すると、この状態の時に誤差増幅器ＥＡから供給される制御信号ＳCON は、例えばゼロレベルとなり、それに応じて出力装置１は、発光素子１への電流の供給を停止する。
【００１１】
このように、第１の信号入力端子ＣＴ１にパルス状の調光信号Ｓｂが供給されている場合、出力装置２は発光素子１に供給する電流を断続する。この出力装置２から発光素子１への電流の供給期間と停止期間は、調光信号Ｓｂの状態（ローレベルとハイレベル）に応じて現れるので、供給電流の大きさ（ピーク値）は第１基準電圧ＶREF1の値によって決まるが、供給電流の平均値は第１基準電圧ＶREF1の値と制御信号Ｓｂの時比率によって決まる。従って、調光信号Ｓｂのパルスの時比率を変化させれば、供給電流の平均値が変化して発光素子１の明るさが変化し、バースト調光の実施が可能となる。
【００１２】
一方、第２の信号入力端子ＣＴ２に調光信号Ｓｃが供給されると、第１の基準電圧源ＶＲ１は第１基準電圧ＶREF1の値を制御信号Ｓｃに応じて変化させる。前述の通り、スイッチング素子ＳＷがオフ状態の時、出力装置２から発光素子１に供給される電流は、その大きさが第１基準電圧ＶREF1によって決まる。このため、調光信号Ｓｃの大きさを変化させれば、出力装置２から発光素子１への電流供給量の変化に伴って発光素子１の明るさが変化し、電流調光の実施が可能となる。
【００１３】
このように、図５の発光制御回路３は、帰還信号ＳFBと第１基準電圧ＶREF1に応じた大きさの制御信号ＳCON を生成し、出力装置２に供給する。その際、発光制御回路３は、外部から供給された調光信号Ｓｂに応じて、制御信号ＳCON を、出力装置２から発光素子１への電流の供給を停止させるような値に周期的に設定する。また発光制御回路３は、外部から供給された調光信号Ｓｃに応じて、制御信号ＳCON を可変範囲内の所定の大きさに設定する。これにより発光制御回路３から制御信号ＳCON の供給を受ける出力装置２は、発光素子１に供給する電流を所定の値に安定化すると共に、当該電流を２つの制御信号Ｓｂ、Ｓｃに応じた大きさに設定し、発光素子１の調光と安定した点灯を実現する。
【特許文献１】特開２００２−３５９０９８号
【発明の開示】
【発明が解決しようとする課題】
【００１４】
ところで、フィードバック制御を行う回路では、通常、発振防止やノイズによる誤動作防止などを目的として、回路内部の各所に容量素子（位相補償コンデンサやフィルタコンデサなど）が接続されている。この容量素子は、発振や誤動作を防止する上で必要なものであるが、そこを通過する信号の変化量を緩慢にするという不都合な現象の原因にもなる。
【００１５】
図５の発光制御回路３および出力装置２は発光素子１に供給する電流を安定化するためにフィードバック制御動作を行うように構成されている。ここで、位相補償用やフィルタ用の容量素子は、主として、発光制御回路３を構成する検出部ＤＰや誤差増幅器ＥＡの内部の所定位置に接続されている。
【００１６】
例えば、図７のタイミングチャートの上段に示すようなハイレベル期間ＴH とローレベル期間ＴL を有する制御信号Ｓｂが、図５の回路の信号入力端子ＣＴ１に供給されたとする。図７中段に示すように、ハイレベル期間ＴH の間、スイッチング素子ＳＷがオフ状態となるため、誤差増幅器ＥＡの反転入力端子には検出部ＤＰから帰還信号ＳFBが供給される。一方、ローレベル期間ＴL の間、スイッチング素子ＳＷがオン状態となるため、誤差増幅器ＥＡの反転入力端子には第２基準電圧ＶREF2が供給される。ただし、位相補償用やフィルタ用の容量素子が電圧の変化を緩慢にするため、ローレベル期間ＴL からハイレベル期間ＴH への移行時において、誤差増幅器ＥＡの反転入力端子の位置の電圧は、ある時間（以下、遅れ時間とする）を経て第２基準電圧ＶREF2から帰還信号ＳFBへと次第に変化する。
【００１７】
第２基準電圧ＶREF2は常に一定であるが、帰還信号ＳFBは第１基準電圧ＶREF1とほぼ同じ大きさになるよう変化する。ここで、調光信号Ｓｃを操作し、第１基準電圧ＶREF1を変化させると、図７の左右に分けて示すように、ローレベル期間ＴL からハイレベル期間ＴH への移行時において、誤差増幅器ＥＡの反転入力端子に供給される信号電圧の落差が異なってくる。すると、第２基準電圧ＶREF2と帰還信号ＳFBの差が大きいほど、調光信号Ｓｂがローレベルからハイレベルに転換してから制御信号ＳCON がローレベルからハイレベルに転換するまでの遅れ時間（ＴD1、ＴD2）が長くなるという現象を生じる。
【００１８】
その結果、図７下段に示すように、同じ時比率を持つバースト調光用の調光信号Ｓｂを加えたとしても、その時の第１基準電圧ＶREF1の大きさ（＝電流調光用の調光信号Ｓｃの大きさ）によって制御信号ＳCON の時比率が異なってしまい、発光素子１のバースト調光を回路設計時の想定通り、すなわちリニアに実施できなかった。
本発明は、上記問題に鑑み、電流調光の状態に影響されないバースト調光を実現できる発光制御回路を提供することを目的とする。
【課題を解決するための手段】
【００１９】
上記課題を解決するための本発明は、  発光素子に対して電源を供給する出力装置に接続され、出力装置から発光素子への電源供給を断続的にするための第１調光信号と発光素子に供給される電流あるいは電圧の大きさに応じた帰還信号とを受信し、第１調光信号と帰還信号に応じた制御信号を出力装置に供給することにより発光素子を所望の明るさで安定して点灯させる発光制御回路において、  出力装置から発光素子への電源供給期間の時比率を決定するパルス幅を有した第１調光信号と、  一方の入力端子に第１の基準電圧源から第１基準電圧信号の供給を受け、他方の入力端子に帰還信号の供給を受けて制御信号を発生させる誤差増幅器と、  出力装置から発光素子への電源供給を停止させるような制御信号の発生を可能とする大きさの電圧信号を出力する電圧源と、  第１調光信号に応じてオンオフし、誤差増幅器の他方の入力端子に対して断続的に電圧信号を供給するスイッチング素子とを具備する。  ここで前記電圧信号は、出力装置から発光素子に電源が供給されている期間に生じた帰還信号よりもほぼ所定の値だけ大きな値に調整される、あるいは該第１基準電圧信号よりも所定の値だけ大きな値に調整されることを特徴としている。
【発明の効果】
【００２０】
本発明によれば、電流調光用の調光信号の大きさ（＝第１基準電圧の大きさ）が異なっても、第１基準電圧（あるいは直前に生じていた帰還信号）と第２基準電圧の差は略一定に維持される。すると、電流調光用の調光信号の大小に拘わらず、制御信号がローレベルからハイレベルになるタイミングの遅れをほぼ一定、かつ小さくすることができる。よって、バースト調光をほぼリニアに実施できると共に、電流調光の状態に影響されないバースト調光が可能になる。
【発明を実施するための最良の形態】
【００２１】
本発明は、電流調光用の調光信号に応じて変化する帰還信号又は第１基準電圧よりも略一定の値だけ大きな電圧信号を発生させ、当該電圧信号を、バースト信号用の調光信号によって動作するスイッチング素子を介して、断続的かつ周期的に誤差増幅器の非反転入力端子に供給するようにした回路形態によって実施される。
【００２２】
具体的には、図１の本発明の原理回路図に示すように、可変出力電圧型の電圧源ＶＡを設け、その出力電圧（電圧信号ＶA ）を帰還信号ＳFB又は第１基準電圧ＶREF1よりも略一定の値だけ大きな値となるように設定する。そして、この電圧源ＶＡで生成される電圧信号ＶA をスイッチング素子ＳＷを介して誤差増幅器ＥＡの非反転入力端子（−）に供給するように構成する。なお、一定電圧を出力する電圧源ＶＲ２に代えて可変出力電圧型の電圧源ＶＡを設けた点を除けば、図１の調光制御回路３ａと図５の調光制御回路３の構成は同一である。
【００２３】
このような電圧信号ＶA を供給する構成とした場合、図２のタイミングチャートの中段に示すように、帰還信号ＳFBや第１基準電圧ＶREF1の大きさに拘わらず、ローレベル期間ＴL からハイレベル期間ＴH への移行時において、誤差増幅器ＥＡに供給される信号電圧の落差はほぼ一定になる。これにより、制御信号ＳCON がローレベルからハイレベルになるタイミングをほぼ一定にすることができる。よって、ある時比率を持つバースト調光用の調光信号Ｓｂが供給された時、電流調光用の調光信号Ｓｃによってその時の第１基準電圧ＶREF1が違っていても、制御信号ＳCON のハイレベル期間（ＴON1 、ＴON2 ）と時比率は同一にすることができる。
【００２４】
また、誤差増幅器ＥＡの反転入力端子に供給される信号電圧の落差がほぼ一定に維持できるのであれば、電圧信号ＶA を帰還信号ＳFBや第１基準電圧ＶREF1よりも大きな値に設定するのに際し、その電圧信号ＶA を、出力装置２から発光素子１への電流供給を停止させることが可能な最低限の値に近い大きさに設定することもできる。つまり、出力装置から発光素子への電流供給を確実に停止させる上で、電圧信号ＶA の設定値に持たせるべき余裕（あるいは安全率）を小さくすることができる。よって、付帯的に、調光信号Ｓｂがローレベルからハイレベルに転換してから制御信号ＳCON がローレベルからハイレベルに転換するまでの遅れ時間（ＴD1、ＴD2）を短くすることも可能になる。
【実施例】
【００２５】
（第１の実施例）
図３は、図１中の発光制御回路３ａとして使用される本発明の第１の実施例による発光制御回路の構成を示している。この図３に示す発光制御回路は、本発明の中心を成す可変出力電圧型の電圧源ＶＡ１を以下のように構成している。
先ず、電圧源ＶＡ１の内部に、一定の電圧信号ＶREF3を出力する定電圧源ＶＲ３と、サンプルアンドホールド回路ＳＨと、加算回路ＡＤＤを構成する。そして、加算回路ＡＤＤの一方の入力端子は定電圧源ＶＲ３の高電位側出力端子に接続し、加算回路ＡＤＤの他方の入力端子はサンプルアンドホールド回路ＳＨの出力端子に接続する。
【００２６】
加算回路ＡＤＤの出力端子はスイッチング素子ＳＷの主電流路の一端に接続し、サンプルホールド回路ＳＨの入力端子は誤差増幅器ＥＡの反転入力端子（−）に接続する。そして、サンプルアンドホールド回路ＳＨの制御端子はスイッチング素子ＳＷの制御端子と同様に端子ＣＴ１に接続する。なお、定電圧源ＶＲ３の低電位側出力端子は基準電位点としてのグランドに接続する。
このような構成とした電圧源ＶＡ１を持つ発光制御回路は、その各部が次のように動作する。
【００２７】
例えば、バースト調光用の調光信号Ｓｂがハイレベルの状態にあって、それに応じたスイッチング素子ＳＷがオフ状態にあると、誤差増幅器ＥＡの反転入力端子には検出部ＤＰから帰還信号ＳFBが供給される。すると時誤差増幅器ＥＡは、非反転入力端子に供給された第１基準電圧ＶREF1と反転入力端子に供給された帰還信号ＳFBに応じて制御信号ＳCON を生成する。出力装置２は、誤差増幅器ＥＡから供給される制御信号ＳCON に応じて動作し、その結果として発光素子に供給する電流を第１基準電圧ＶREF1によって決まる所定の値に安定化する。なお、調光信号Ｓｂがハイレベルの状態にある間、その調光信号Ｓｂを受信したサンプルアンドホールド回路ＳＨは、誤差増幅器ＥＡの非反転入力端子に供給されている帰還信号ＳFBを、定期的或いは定常的に抽出するように動作する。
【００２８】
時間が経過すると、やがて調光信号Ｓｂがハイレベルからローレベルの状態に転換する。調光信号Ｓｂがローレベルの状態になると、サンプルアンドホールド回路ＳＨは、帰還信号ＳFBの抽出動作を停止し、その直前に抽出した帰還信号ＳFBと同じ大きさの信号Ｓsmp を出力する。そして加算回路ＡＤＤは、定電圧源ＶＲ３からの電圧信号ＶREF3とサンプルアンドホールド回路ＳＨからの信号Ｓsmp を受信し、その二つの信号を合わせた大きさの電圧信号ＶA を出力する。
【００２９】
このとき、スイッチング素子ＳＷが調光信号Ｓｂに応じてオン状態になっているので、誤差増幅器ＥＡの非反転入力端子には、スイッチング素子ＳＷを介して電圧信号ＶA が供給される。この電圧信号ＶA が、例えば、誤差増幅器ＥＡが出力する制御信号ＳCON をゼロレベルとし、出力装置２から発光素子１への電流供給を停止させるような大きさであれば、出力装置２は電圧信号ＶA から生成された制御信号ＳCON に応じて発光素子１への電流供給を停止する。このように、信号Ｓｂの状態と出力装置２の動作の関係については、従来の回路と同じになる。
【００３０】
ここで電圧信号ＶA は、調光信号Ｓｂの状態がハイレベルからローレベルに転換する直前の帰還信号ＳFBよりも、ほぼ電圧信号ＶREF3分だけ大きい。しかも、この電圧信号ＶREF3の値はほぼ一定である。このため、次に信号Ｓｂがローレベルからハイレベルの状態に転換した時、ローレベル期間の間に第１基準電圧ＶREF1が変化していなければ、その直前の帰還信号ＳFBの大きさがどのような大きさであっても、誤差増幅器ＥＡの反転入力端子に供給される信号電圧の落差はほぼ一定となる。これにより、制御信号ＳCON がローレベルからハイレベルになるタイミングをほぼ一定にすることができる。
【００３１】
従って、ある時比率を持つバースト調光用の調光信号Ｓｂが供給された時、その時点における第１基準電圧ＶREF1（あるいは帰還信号ＳFB）が異なっていても、制御信号ＳCON のハイレベル期間（ＴON1 、ＴON2 ）と時比率は同一にすることができる。
また、電圧信号ＶA は、常に帰還信号ＳFBよりもほぼ一定の値（＝電圧信号ＶREF3分）だけ大きな値に設定されるので、出力装置２から発光素子１への電流供給の停止を可能とする最低限の値に近い大きさに設定できる。このため、調光信号Ｓｂがローレベルからハイレベルに転換してから制御信号ＳCON がローレベルからハイレベルに転換するまでの遅れ時間を短くすることも可能になる。
【００３２】
なお、図３に示す発光制御回路において、加算回路ＡＤＤを省略し、サンプルアンドホールド回路ＳＨの出力端子とスイッチング素子ＳＷの主電流路との間に定電圧源ＶＲ３を接続し、レベルシフト的作用により電圧信号ＶA が得られるように電圧源ＶＡ１を構成しても構わない。また、サンプルアンドホールド回路ＳＨの入力端子は、誤差増幅器ＥＡの反転入力端子（−）に接続する代わりに非反転入力端子（＋）に接続しても構わない。なお、このようにした場合、サンプルアンドホールド回路ＳＨは第１基準電圧ＶREF1を抽出し、それに等しい大きさの信号Ｓsmp を出力するように動作することになる。
【００３３】
（第２の実施例）
図４は、図１中の発光制御回路３ａとして使用される本発明の第２の実施例による発光制御回路の構成を示している。この図４に示す発光制御回路は、本発明の中心を成す可変出力電圧型の電圧源ＶＡ２を以下のように構成している。
先ず、電圧源ＶＡ１の内部に、一定の電圧信号ＶREF3を出力する定電圧源ＶＲ３と、バッファアンプＢＡと、加算回路ＡＤＤを構成する。そして、加算回路ＡＤＤの一方の入力端子は定電圧源ＶＲ３の高電位側出力端子に接続し、加算回路ＡＤＤの他方の入力端子はバッファアンプＢＡの出力端子に接続する。
【００３４】
加算回路ＡＤＤの出力端子はスイッチング素子ＳＷの主電流路の一端に接続し、バッファアンプＢＡの入力端子は誤差増幅器ＥＡの非反転入力端子（＋）に接続する。なお、定電圧源ＶＲ３の低電位側出力端子は基準電位点としてのグランドに接続する。
このような構成の電圧源ＶＡ２を持つ発光制御回路では、バッファアンプＢＡが、誤差増幅器の非反転入力端子（＋）に供給される第１基準電圧ＶREF1と同一の信号を常時出力する。加算回路ＡＤＤは、定電圧源ＶＲ３からの電圧信号ＶREF3とバッファアンプＢＡからの第１基準電圧ＶREF1を受信し、その二つの信号を合わせた大きさの電圧信号ＶA を出力する。この後の回路各部の動作と作用、それにより得られる効果は、図３に示す本発明の第１の実施例による発光制御回路とほぼ同じであり、説明は省略する。
【００３５】
なお、図４に示す発光制御回路において、加算回路ＡＤＤを省略し、バッファアンプＢＡの出力端子とスイッチング素子ＳＷの主電流路との間に定電圧源ＶＲ３を接続し、レベルシフト的作用により電圧信号ＶA が得られるように電圧源ＶＡ２を構成しても構わない。また、第１の基準電圧源ＶＲ１の動作に悪影響が及ばなければ、バッファアンプＢＡを省略し、加算回路ＡＤＤに直接、第１の基準電圧源ＶＲ１から第１基準電圧ＶREF1を供給するように電圧源ＶＡ２を構成しても構わない。その場合、更に加算回路ＡＤＤも省略し、第１の基準電圧源ＶＲ１と定電圧源ＶＲ３を直列にして、レベルシフト的作用により電圧信号ＶA を得るように構成しても構わない。
【図面の簡単な説明】
【００３６】
【図１】本発明の発光制御回路の原理を説明するためのバックライトの回路図。
【図２】図１の調光制御回路の各部に現れる信号のタイミングチャート。
【図３】本発明の第１の実施例による発光制御回路の回路図。
【図４】本発明の第２の実施例による発光制御回路の回路図。
【図５】バースト調光と電流調光の２つの調光方式でもって操作されるバックライトの構成と、そのバックライトに組み込んで使用される従来の発光制御回路の構成を示す回路図。
【図６】出力装置と発光素子の例を示す回路図。
【図７】図５の調光制御回路の各部に現れる信号のタイミングチャート。
【符号の説明】
【００３７】
１：発光素子
２：出力装置
３ａ、３ｂ、３ｃ：調光制御回路
ＡＤＤ：加算回路
ＢＡ：バッファアンプ
ＣＴ１：第１の信号入力端子（バースト調光用）
ＣＴ２：第２の信号入力端子（電流調光用）
ＤＰ：検出部
ＥＡ：誤差増幅器
ＳＨ：サンプルアンドホールド回路
ＳＷ：スイッチング素子
Ｓｂ：調光信号（バースト調光用）
Ｓｃ：調光信号（電流調光用）
Ｓcon ：制御信号
ＳFB：帰還信号
ＶＲ１：第１の基準電圧源
ＶＲ３：定電圧源
ＶA ：電圧信号
ＶREF1：第１基準電圧
【図１】
2010027362.tif 000003
【図２】
2010027362.tif 000004
【図３】
2010027362.tif 000005
【図４】
2010027362.tif 000006
【図５】
2010027362.tif 000007
【図６】
2010027362.tif 000008
【図７】
2010027362.tif 000009